(57)【特許請求の範囲】
【請求項１】
ガスセンサで検知した検知対象ガスのガス濃度が予め設定された所定の第１閾値濃度以上となった場合にガス濃度の予備警報を出力すると共に、検知対象ガスのガス濃度が前記第１閾値濃度より高い予め設定された所定の第２閾値濃度以上となった場合にガス濃度の異常警報を出力するガス警報器に於いて、
前記ガスセンサで検知した非検知対象ガスのガス濃度が予め設定された所定の閾値濃度以上となった場合に、前記検知対象ガスの前記第１閾値濃度をそれより高い閾値濃度に変更すると共に、前記検知対象ガスの前記第２閾値濃度を予め設定された閾値濃度と同じか又はそれよりも低い警報の出易い閾値濃度に変更する制御部を設けたことを特徴とするガス警報器。
【請求項２】
ガスセンサで検知した検知対象ガスのガス濃度が予め設定された所定の第１閾値濃度以上となった場合にガス濃度の予備警報を出力すると共に、検知対象ガスのガス濃度が前記第１閾値濃度より高い予め設定された所定の第２閾値濃度以上となった場合にガス濃度の異常警報を出力するガス警報器に於いて、
前記ガスセンサで検知した非検知対象ガスのガス濃度が予め設定された所定の閾値濃度以上となった場合に、前記検知対象ガスの前記第１閾値濃度をそれより高い閾値濃度に変更し、前記非検知対象ガスのガス濃度が前記閾値濃度以上となって所定時間継続した場合に、前記検知対象ガスの前記第２閾値濃度をそれよりも高い閾値濃度に変更する制御部を設けたことを特徴とするガス警報器。
【請求項３】
ガスセンサで検知した検知対象ガスのガス濃度が予め設定された所定の第１閾値濃度以上となった場合にガス濃度の予備警報を出力すると共に、検知対象ガスのガス濃度が前記第１閾値濃度より高い予め設定された所定の第２閾値濃度以上となった場合にガス濃度の異常警報を出力するガス警報器に於いて、
前記ガスセンサで検知した非検知対象ガスのガス濃度が予め設定された所定の閾値濃度以上となった場合、前記検知対象ガスの前記第１閾値濃度をそれより高い閾値濃度に変更し、前記非検知対象ガスのガス濃度が予め設定した所定の閾値速度以上の速度で上昇している場合に、前記検知対象ガスの前記第２閾値濃度をそれよりも高い閾値濃度に変更する制御部を設けたことを特徴とするガス警報器。
【請求項４】
ガスセンサで検知した検知対象ガスのガス濃度が予め設定された所定の第１閾値濃度以上となった場合にガス濃度の予備警報を出力すると共に、検知対象ガスのガス濃度が前記第１閾値濃度より高い予め設定された所定の第２閾値濃度以上となった場合にガス濃度の異常警報を出力するガス警報器に於いて、
前記ガスセンサで検知した非検知対象ガスのガス濃度が予め設定された所定の第１閾値濃度以上となった場合に、前記検知対象ガスの前記第１閾値濃度をそれより高い閾値濃度に変更し、前記非検知対象ガスのガス濃度が前記第１閾値濃度より高い予め設定された所定の第２閾値濃度以上となった場合に、前記検知対象ガスの前記第２閾値濃度をそれより高い閾値濃度に変更する制御部を設けたことを特徴とするガス警報器。
【請求項５】
請求項１乃至４の何れかに記載のガス警報器に於いて、前記制御部は、前記検知対象ガスのガス濃度が前記変更した第１閾値濃度以上となって所定時間継続した場合に予備警報を出力することを特徴とするガス警報器。
【請求項６】
請求項２乃至４の何れかに記載のガス警報器に於いて、前記制御部は、前記検知対象ガスのガス濃度が前記変更した第２閾値濃度以上となって所定時間継続した場合に異常警報を出力することを特徴とするガス警報器。
【発明の詳細な説明】
【技術分野】
【０００１】
本発明は、検知対象ガスのガス漏れに対し予備警報と異常警報の２段階警報を行うと共に非検知対象ガスによる誤警報を抑制するようにしたガス警報器に関する。
【背景技術】
【０００２】
従来、都市ガスやプロパンガスなどの可燃性ガスのガス漏れを検知するガス警報器のガスセンサとして、半導体式ガスセンサを使用している。また、都市ガス用ガス警報器の場合、主成分であるメタンを検出しており、併せて、不完全燃焼により発生する一酸化炭素ガスを検出するようにしている。
【０００３】
ガス警報器用に使用する半導体式ガスセンサは、ガスが接触した場合に抵抗変化を示す酸化錫（ＳｎＯ2 ）等の金属酸化物を主体に形成した感ガス素子と、白金（Ｐｔ）等の金属抵抗体で形成されたヒータを備え、メタン（ＣＨ４）ガスと一酸化炭素（ＣＯ）ガスを同時検出する。
【０００４】
半導体式ガスセンサを用いてメタンを検出する場合は素子温度を約４００℃に加温し、一酸化炭素ガスを検出する場合は約１００℃の温度に加温している。また半導体式ガスセンサは、高温側ではメタンを、低温側では一酸化炭素ガスを選択的に検出することが可能であると共に、その中間温度領域では、非検知対象ガスである水素ガスを選択的に検出することが可能である。
【０００５】
しかしながら、非検知対象ガスである水素ガスと検知対象ガスが同時に混在した場合には、高温側で検出するメタンや低温側で検出する一酸化炭素ガスに非検知対象ガスである水素ガスによる抵抗の変化が加わって検出しているガス濃度が高めになり、誤警報を出してしまう問題がある。
【０００６】
この問題を解決するため、検知対象ガスに対する警報を、予備警報と異常警報の２段階とし、半導体式ガスセンサのヒータ制御により、高温側で検出するメタンや低温側で検出する一酸化炭素ガスに加え、その中間温度領域で水素ガスを検出し、水素ガスの濃度が所定の閾値濃度以上となった場合に、検知対象ガスの予備警報を出すために予め設定した閾値濃度（予備警報設定点）を解除して予備警報を出さないようにしたり、或いは、予備警報及び異常警報を出すために予め設定した濃度の異なる２つの閾値濃度（予備警報設定点と異常警報設定点）を、それぞれ警報を出し難い閾値濃度に変更（再設定）し、非検知対象ガスによる誤警報を軽減するようにしている（特許文献１）。
【先行技術文献】
【特許文献】
【０００７】
【特許文献１】特開２００７−０６６０５６号公報
【発明の概要】
【発明が解決しようとする課題】
【０００８】
しかしながら、このような従来のガス警報器にあっては、非検知対象ガスである水素ガスの濃度が所定の閾値濃度以上となった場合に、検知対象ガスの予備警報及び異常警報のために設定した閾値濃度を、警報し難いように解除又は変更して誤警報を軽減しているが、例えば異常警報については、警報を出し難くするよりは、積極的に異常警報を出力し、非検知対象ガスである水素ガスが混在していても、検知対象ガスのガス漏れがおきていることを異常警報により知らせることが適切といえる場合もあり、様々な状況に十分に対応できない場合がある。
【０００９】
本発明は、非検知対象ガスが混在した場合の検知対象ガスの対する予備警報と異常警報を適切に行って信頼性の高いガス警報を可能とするガス警報器を提供することを目的とする。
【課題を解決するための手段】
【００１０】
（第１発明：予備警報閾値を上げ、異常警報閾値を同一又は下げる閾値変更）
本発明は、ガスセンサで検知した検知対象ガスのガス濃度が予め設定された所定の第１閾値濃度以上となった場合にガス濃度の予備警報を出力すると共に、検知対象ガスのガス濃度が第１閾値濃度より高い予め設定された所定の第２閾値濃度以上となった場合にガス濃度の異常警報を出力するガス警報器に於いて、
ガスセンサで検知した非検知対象ガスのガス濃度が予め設定された所定の閾値濃度以上となった場合に、検知対象ガスの第１閾値濃度をそれより高い閾値濃度に変更すると共に、検知対象ガスの第２閾値濃度を予め設定された閾値濃度と同じか又はそれよりも低い警報の出易い閾値濃度に変更する制御部を設けたことを特徴とする。
【００１１】
（第２発明：予備警報閾値を上げて蓄積警報し、予備警報条件が継続した場合に異常警報閾値を上げる閾値変更）
本発明は、ガスセンサで検知した検知対象ガスのガス濃度が予め設定された所定の第１閾値濃度以上となった場合にガス濃度の予備警報を出力すると共に、検知対象ガスのガス濃度が第１閾値濃度より高い予め設定された所定の第２閾値濃度以上となった場合にガス濃度の異常警報を出力するガス警報器に於いて、
ガスセンサで検知した非検知対象ガスのガス濃度が予め設定された所定の閾値濃度以上となった場合に、検知対象ガスの第１閾値濃度をそれより高い閾値濃度に変更し、非検知対象ガスのガス濃度が閾値濃度以上となって所定時間継続した場合に、検知対象ガスの第２閾値濃度をそれよりも高い閾値濃度に変更する制御部を設けたことを特徴とする。
【００１２】
（第３発明：予備警報閾値を上げて蓄積警報し、非検知対象ガスの上昇速度が速い場合に異常警報閾値を上げる閾値変更）
本発明は、ガスセンサで検知した検知対象ガスのガス濃度が予め設定された所定の第１閾値濃度以上となった場合にガス濃度の予備警報を出力すると共に、検知対象ガスのガス濃度が第１閾値濃度より高い予め設定された所定の第２閾値濃度以上となった場合にガス濃度の異常警報を出力するガス警報器に於いて、
ガスセンサで検知した非検知対象ガスのガス濃度が予め設定された所定の閾値濃度以上となった場合、検知対象ガスの第１閾値濃度をそれより高い閾値濃度に変更し、非検知対象ガスのガス濃度が予め設定した所定の閾値速度以上の速度で上昇している場合に、検知対象ガスの第２閾値濃度をそれよりも高い閾値濃度に変更する制御部を設けたことを特徴とする。
【００１３】
（第４発明：非検知対象ガスに２段階の閾値濃度を設定して検知対象ガスの２段階の閾値濃度を変更）
本発明は、ガスセンサで検知した検知対象ガスのガス濃度が予め設定された所定の第１閾値濃度以上となった場合にガス濃度の予備警報を出力すると共に、検知対象ガスのガス濃度が第１閾値濃度より高い予め設定された所定の第２閾値濃度以上となった場合にガス濃度の異常警報を出力するガス警報器に於いて、
ガスセンサで検知した非検知対象ガスのガス濃度が予め設定された所定の第１閾値濃度以上となった場合に、検知対象ガスの第１閾値濃度をそれより高い閾値濃度に変更し、非検知対象ガスのガス濃度が第１閾値濃度より高い予め設定された所定の第２閾値濃度以上となった場合に、検知対象ガスの第２閾値濃度をそれより高い閾値濃度に変更する制御部を設けたことを特徴とする。
【００１４】
（予備警報の蓄積出力）
第１乃至第４発明について、制御部は、検知対象ガスのガス濃度が変更した第１閾値濃度以上となって所定時間継続した場合に予備警報を出力する。
【００１５】
（異常警報の蓄積出力）
第２乃至第４発明について、制御部は、検知対象ガスのガス濃度が変更した第２閾値濃度以上となって所定時間継続した場合に異常警報を出力する。
【００１６】
（第５発明：検知対象ガス濃度の補正）
本発明は、ガスセンサで検知した検知対象ガスのガス濃度が予め設定された所定の第１閾値濃度以上となった場合にガス濃度の予備警報を出力すると共に、検知対象ガスのガス濃度が第１閾値濃度より高い予め設定された所定の第２閾値濃度以上となった場合にガス濃度の異常警報を出力するガス警報器に於いて、
ガスセンサで検知した非検知対象ガスのガス濃度が予め設定された所定の閾値濃度以上となった場合に、ガスセンサで検知した検知対象ガスのガス濃度を所定割合だけ低いガス濃度に補正し、補正した検知対象ガスのガス濃度が第１閾値濃度以上となった場合にガス濃度の予備警報を出力すると共に、補正した検知対象ガスのガス濃度が第２閾値濃度以上となった場合にガス濃度の異常警報を出力する制御部を設けたことを特徴とする。
【００１７】
（予備警報と異常警報の蓄積出力）
第５発明について、制御部は、補正した前記検知対象ガスのガス濃度が第１閾値濃度以上となって所定時間継続した場合に予備警報を出力すると共に、補正した検知対象ガスのガス濃度が第２閾値濃度以上となって所定時間継続した場合に異常警報を出力する。
【発明の効果】
【００１８】
（第１発明の効果：予備警報閾値を上げ、異常警報閾値を同一又は下げる閾値変更）
本発明は、ガスセンサで検知した検知対象ガスのガス濃度が予め設定された所定の第１閾値濃度以上となった場合にガス濃度の予備警報を出力すると共に、検知対象ガスのガス濃度が第１閾値濃度より高い予め設定された所定の第２閾値濃度以上となった場合にガス濃度の異常警報を出力するガス警報器に於いて、ガスセンサで検知した非検知対象ガスのガス濃度が予め設定された所定の閾値濃度以上となった場合に、検知対象ガスの第１閾値濃度をそれより高い閾値濃度に変更すると共に、検知対象ガスの第２閾値濃度を予め設定された閾値濃度と同じか又はそれよりも低い警報の出易い閾値濃度に変更する制御部を設けるようにしたため、非検知ガスとなる水素ガスが混在した場合の予備警報については、非検知対象ガスが混在した場合に検知対象ガスの予備警報を出し難くして不要な混乱を未然に防止可能とする。
【００１９】
また、非検知対象ガスが混在した場合の検知対象ガスの異常警報については、検知対象ガスの閾値濃度を同じにするか又は低下させることにより、非検知対象ガスである例えば水素ガスは検知対象ガスであるメタンガスや一酸化炭素ガスと同様に可燃性のガスであり、水素ガスの混合により検知対象ガスのガス濃度が増加した場合に、異常警報を出易くすることで、水素ガスと検知対象ガスの混合濃度の増加による異常を早めに警報することで、迅速な対処を可能とする。
【００２０】
（第２発明の効果：予備警報閾値を上げて蓄積警報し非検知ガスの閾値濃度以上の継続により異常警報閾値を上げる閾値変更）
また、本発明は、ガスセンサで検知した検知対象ガスのガス濃度が予め設定された所定の第１閾値濃度以上となった場合にガス濃度の予備警報を出力すると共に、検知対象ガスのガス濃度が第１閾値濃度より高い予め設定された所定の第２閾値濃度以上となった場合にガス濃度の異常警報を出力するガス警報器に於いて、ガスセンサで検知した非検知対象ガスのガス濃度が予め設定された所定の閾値濃度以上となった場合に、検知対象ガスの第１閾値濃度をそれより高い閾値濃度に変更し、非検知対象ガスのガス濃度が閾値濃度以上となって所定時間継続した場合に、検知対象ガスの第２閾値濃度をそれよりも高い閾値濃度に変更する制御部を設けるようにしたため、非検知ガスが混在した場合に閾値濃度を上げて蓄積警報を行うことで、検知対象ガスの予備警報を出し難くして不要な混乱を未然に防止可能とする。
【００２１】
また、検知対象ガスの異常警報については、非検知対象ガスが閾値濃度以上となる状態が所定時間継続した場合に閾値濃度を上げて異常警報を出し難くすることで、一時的な非検知対象ガスの濃度上昇で検知対象ガスの異常を警報する閾値濃度を警報を出難い方向に変更して、検知対象ガスの異常警報が出せなくなったり（失報）、遅れることを防止可能とする。
【００２２】
（第３発明の効果：予備警報閾値を上げて蓄積警報し、非検知対象ガスの上昇速度が速い場合に異常警報閾値を上げる閾値変更）
また、本発明は、ガスセンサで検知した検知対象ガスのガス濃度が予め設定された所定の第１閾値濃度以上となった場合にガス濃度の予備警報を出力すると共に、検知対象ガスのガス濃度が第１閾値濃度より高い予め設定された所定の第２閾値濃度以上となった場合にガス濃度の異常警報を出力するガス警報器に於いて、ガスセンサで検知した非検知対象ガスのガス濃度が予め設定された所定の閾値濃度以上となった場合、検知対象ガスの第１閾値濃度をそれより高い閾値濃度に変更し、非検知対象ガスのガス濃度が予め設定した所定の閾値速度以上の速度で上昇している場合に、検知対象ガスの第２閾値濃度をそれよりも高い閾値濃度に変更する制御部を設けるようにしたため、非検知ガスが混在した場合に閾値濃度を上げて蓄積警報を行うことで、検知対象ガスの予備警報を出し難くして不要な混乱を未然に防止可能とする。
【００２３】
また、所定濃度を超える水素ガスが混在した場合、検知対象ガスの異常警報については、水素ガスの濃度が予め設定した所定の閾値速度以上の速度で上昇している場合に閾値濃度を高くして異常警報を出し難くすることで、水素ガスの濃度増加が速い場合に検知対ガスの異常警報を出し難くし、一方、水素ガス濃度が閾値濃度を超えても、それ以上増加しないような場合には、閾値濃度を初期設定のままとして異常警報を出難くする変更を行わないようにすることで、本来の検知対象ガスのガス濃度の増加に対し、確実に異常警報を可能とする。
【００２４】
（第４発明の効果：非検知対象ガスに２段階の閾値濃度を設定して検知対象ガスの２段階の閾値濃度を変更）
また、本発明は、ガスセンサで検知した検知対象ガスのガス濃度が予め設定された所定の第１閾値濃度以上となった場合にガス濃度の予備警報を出力すると共に、検知対象ガスのガス濃度が第１閾値濃度より高い予め設定された所定の第２閾値濃度以上となった場合にガス濃度の異常警報を出力するガス警報器に於いて、ガスセンサで検知した非検知対象ガスのガス濃度が予め設定された所定の第１閾値濃度以上となった場合に、検知対象ガスの第１閾値濃度をそれより高い閾値濃度に変更し、非検知対象ガスのガス濃度が第１閾値濃度より高い予め設定された所定の第２閾値濃度以上となった場合に、検知対象ガスの第２閾値濃度をそれより高い閾値濃度に変更する制御部を設けるようにしたため、非検知対象ガスについても濃度閾値を２段階に設定し、検知対象ガスの予備警報と異常警報を出し難くするように各段階の閾値濃度を変更することで、非検知対象ガスのガス濃度に応じて警報を出難くする検知対象ガスの２段階警報を可能とする。
【００２５】
（予備警報の蓄積出力による効果）
第１乃至第４発明について、制御部は、検知対象ガスのガス濃度が変更した第１閾値濃度以上となって所定時間継続した場合に予備警報を出力するようにしたため、検知対象ガスのガス濃度が変更した第１閾値濃度以上となって所定時間継続する蓄積により予備警報することで、非検知対象ガスが混合した場合の検知対象ガスの予備警報を更に出し難くして非検知対象ガスに起因した予備警報の誤報を抑制可能とする。
【００２６】
（異常警報の蓄積出力による効果）
第２乃至第４発明について、制御部は、検知対象ガスのガス濃度が変更した第２閾値濃度以上となって所定時間継続した場合に異常警報を出力するようにしたため、検知対象ガスのガス濃度が変更した第２閾値濃度以上となって所定時間継続する蓄積により異常警報することで、非検知対象ガスが混合した場合の検知対象ガスの異常警報を更に出し難くして非検知対象ガスに起因した異常警報の誤報を抑制可能とする。
【００２７】
（第５発明の効果：検知対象ガス濃度の補正）
また、本発明は、ガスセンサで検知した検知対象ガスのガス濃度が予め設定された所定の第１閾値濃度以上となった場合にガス濃度の予備警報を出力すると共に、検知対象ガスのガス濃度が第１閾値濃度より高い予め設定された所定の第２閾値濃度以上となった場合にガス濃度の異常警報を出力するガス警報器に於いて、ガスセンサで検知した非検知対象ガスのガス濃度が予め設定された所定の閾値濃度以上となった場合に、ガスセンサで検知した検知対象ガスのガス濃度を所定割合だけ低いガス濃度に補正し、補正した検知対象ガスのガス濃度が第１閾値濃度以上となった場合にガス濃度の予備警報を出力すると共に、補正した検知対象ガスのガス濃度が第２閾値濃度以上となった場合にガス濃度の異常警報を出力する制御部を設けるようにしたため、検知対象ガスの予備警報及び異常警報を出すための各濃度閾値はそのままで、非検知対象ガスが混在した場合に、検知対象ガスのガス濃度を低い値に補正することで、警報を出難くして、非検知対象ガスによる予備警報及び異常警報の誤報を抑制可能とする。
【００２８】
（予備警報と異常警報の蓄積出力による効果）
第５発明について、制御部は、補正した検知対象ガスのガス濃度が第１閾値濃度以上となって所定時間継続した場合に予備警報を出力すると共に、補正した検知対象ガスのガス濃度が第２閾値濃度以上となって所定時間継続した場合に異常警報を出力するようにしたため、補正した検知対象ガスのガス濃度が第１閾値濃度以上及び又は第２閾値濃度以上となって所定時間継続する蓄積により予備警報及び又は異常警報をすることで、非検知対象ガスが混合した場合の検知対象ガスの予備警報及び又は異常警報を更に出し難くして非対象検知ガスに起因した誤報を抑制可能とする。
【図面の簡単な説明】
【００２９】
【図１】ガス警報器の実施形態を示した回路ブロック図
【図２】図１のセンサ駆動部とガスセンサの詳細を示した回路ブロック図
【図３】ガスセンサのヒータ電圧とガス検出タイミングを示したタイムチャート
【図４】ガスセンサによるガス濃度と出力の関係を示した特性図ある。
【図５】ガス警報制御の第１実施形態による処理動作を示したフローチャート
【図６】ガス警報制御の第２実施形態による処理動作を示したフローチャート
【図７】ガス警報制御の第３実施形態による処理動作を示したフローチャート
【図８】ガス警報制御の第４実施形態による処理動作を示したフローチャート
【図９】ガス警報制御の第５実施形態による処理動作を示したフローチャート
【発明を実施するための形態】
【００３０】
［ガス警報器］
図１はガス警報器の実施形態を示した回路ブロック図、図２は図１のセンサ駆動部とガスセンサの詳細を示した回路ブロック図、図３はガスセンサのヒータ電圧とガス検出タイミングを示したタイムチャート、図４はガスセンサによるガス濃度と出力の関係を示した特性図である。
【００３１】
（ガス警報器の構成）
図１に示すように、本実施形態のガス警報器は、制御部１０、半導体式のガスセンサ１２、センサ駆動部１４、メモリ部１６、スイッチ部１８、表示部２０、音響警報部２２、移報部２４及び電源回路部２６で構成している。
【００３２】
ガス警報器は、電源回路部２６により商用ＡＣ１００Ｖから所定の直流電圧に変換した電源供給を受けて動作する。
【００３３】
制御部１０はＣＰＵ、各種の入出力ポート等を備えたマイクロプロセッサ等のコンピュータ回路等とし、ＣＰＵによるプログラムの実行により、検知対象ガスとなるメタンガスと一酸化炭素ガスの警報の判断、非検知ガスとなる水素ガスの濃度判断、故障判断及び各回路部の制御等を行う。
【００３４】
半導体式のガスセンサ１２は、酸化錫（ＳｎＯ２ ）等の金属酸化物を主体に形成され、図２に示すように、ガスが存在した場合に抵抗変化を示す感ガス素子１２ａと、白金（Ｐｔ）等の金属抵抗体で形成されたコイル等のヒータ１２ｂを備え、ヒータ１２ｂにより感ガス素子１２ａを約４００℃に加熱して検知対象ガスであるメタン（ＣＨ４）を選択的に検知し、また、感ガス素子１２ａを約１００℃に加熱して検知対象ガスである一酸化炭素ガスを選択的に検知し、更に、その中間温度領域の約３００℃に加熱して非検知対象ガスである水素ガスを選択的に検知することを可能とする。
【００３５】
センサ駆動部１４は、図２に示すように、ヒータ駆動部２８、トランジスタ等を用いたスイッチ部３０ａ，３０ｂ，３０ｃ、負荷抵抗ＲＬ１，ＲＬ２，ＲＬ３を備える。
【００３６】
ヒータ駆動部２８は、制御部１０から所定周期でＨレベルとＬレベルに変化する加熱制御信号Ｅ０を入力し、図３（Ａ）に示すように、ガスセンサ１２のヒータ１２ｂの駆動電流を高低２段階に変化し、周期Ｔの前半のＴ１時間で感ガス素子１２ａを約４００℃に加熱し、後半のＴ２時間で感ガス素子１２ａを約１００℃に加熱する制御を繰り返す。
【００３７】
ここで４００℃に加熱するＴ１時間は例えば数秒程度であり、１００℃に加熱する時間Ｔ２は十数秒程度となり、周期Ｔは３０秒以内の時間となる。勿論、加熱時間Ｔ１，Ｔ２は使用する半導体式のガスセンサ１２の仕様（加熱特性）に応じて適宜の時間を設定可能である。
【００３８】
半導体式のガスセンサ１２は、ヒータ１２ｂの過熱温度で選択されたガスが接触すると、ガス濃度に応じて抵抗値が低下する。
【００３９】
また、図２に示すように、ガスセンサ１２の感ガス素子１２ａに対しては、スイッチ部３０ａ，３０ｂ，３０ｃを介して負荷抵抗ＲＬ１，ＲＬ２，ＲＬ３を選択的に接続可能としている。負荷抵抗ＲＬ１はメタンガス検出用の所定の抵抗値をもち、負荷抵抗ＲＬ２は水素ガス検出用の所定の抵抗値をもち、更に負荷抵抗ＲＬ３は一酸化炭素ガス検出用の所定の抵抗値をもつ。
【００４０】
制御部１０は、図３（Ｂ）に示すタイミングで、メタン選択信号Ｅ１、水素選択信号Ｅ２及びＣＯ選択信号Ｅ３を出力してスイッチ素子３０ａ，３０ｂ，３０ｃのオンにより、メタン検出用の負荷抵抗ＲＬ１、水素ガス検出用の負荷抵抗ＲＬ２又は一酸化炭素ガス検出用の負荷抵抗ＲＬ３をガスセンサ１２の感ガス素子１２ａに選択的に接続する動作を繰り返す。
【００４１】
ここで、感ガス素子１２ａの抵抗値をＲｓ、負荷抵抗ＲＬ１，ＲＬ２又はＲＬ３の抵抗値を代表してＲＬ、電源電圧をＶｃ、ヒータ電圧をＶｈ、感ガス素子１２ａの検出電圧をＶｓとすると、
Ｒｓ＝｛（Ｖｓ−０．５Ｖｈ）／（Ｖｃ−Ｖｓ｝ＲＬ
の関係が得られる。
【００４２】
このため感ガス素子１２ａの両端の検出電圧Ｖｓは、
Ｖｓ＝（ＲｓＶｃ＋０．５ＲＬＶｈ）／（Ｒｓ＋ＲＬ）
となり、ガス濃度の増加によるセンサ抵抗Ｒｓの低下に対し、検出電圧Ｖｓが減少する。
【００４３】
本実施形態にあっては、ガスセンサ１２の検出電圧Ｖｓを、図示しないオペアンプ等で反転増幅することで、図４に示すように、ガスの濃度の増加に対し上昇する検出出力を得ている。
【００４４】
制御部１０は、図３に示したメタン選択信号Ｅ１、水素選択信号Ｅ２又はＣＯ選択信号Ｅ３のタイミングで、ガスセンサ１２から出力される各検出電圧を入力してＡ／Ｄ変換し、メタンガス濃度、水素ガス濃度及び一酸化炭素ガス濃度としてバッファメモリの所定領域に書込み記憶する。
【００４５】
再び図１を参照するに、メモリ部１６は、検知対象ガスとしてのメタンガス及び一酸化炭素ガスの予備警報及び異常警報を判別するための各種の閾値濃度や警報履歴情報等を記憶する。
【００４６】
スイッチ部１８は、警報停止スイッチや点検スイッチ等を備え、各スイッチの状態を監視し、スイッチ操作に応じた操作信号を制御部１０に出力する。
【００４７】
表示部２０は、ＬＥＤを用いた赤色のガス警報灯、黄色のＣＯ警報灯、及び緑色の電源灯を備え、制御部１０の指示により、メタンガスの予備警報でガス警報灯を点滅し、異常警報（ガス警報）でガス警報灯を点灯し、また、一酸化炭素ガスの予備警報でＣＯ警報灯を点滅し、異常警報でＣＯ警報灯を点灯し、更に、ヒータ断線、ヒータ電圧異常、スピーカ断線、ガスセンサ抵抗異常等の障害検出で電源灯を点滅する。
【００４８】
音響警報部２２はブザーを備え、予備警報音として、メタンガスの場合は例えば「ピーポーピーポー」とする警報音を数秒程度の周期で間欠的に出力し、一方、一酸化炭素ガスの場合は例えば「ピッポッピッポッ」とする警報音を数秒程度の周期で間欠的に出力する。
【００４９】
また、音響警報部２２は、異常警報音として、メタンガスの場合は例えば「ピーポーピーポー」とする警報音を連続的に出力し、一方、一酸化炭素ガスの場合は例えば「ピッポッピッポッ」とする警報音を連続的に出力する。
【００５０】
また、音響警報部２２にスピーカを設けることで、警報音と音声メッセージを組み合わせた予備警報と異常警報を出力するようにしても良い。この場合、音響警報部２２は、予備警報として、メタンガスの場合は例えば「ピーポーピーポー  ガスが漏れていませんか」とする警報音とメッセージを数秒程度の周期で間欠的に出力し、一方、一酸化炭素ガスの場合は例えば「ピッポッピッポッ  空気が汚れて危険です  窓を開けて換気してください」とする警報音とメッセージを数秒程度の周期で間欠的に出力する。また、音響警報部２２は、異常警報として、メタンガスの場合は例えば「ピーポーピーポー  ガスが漏れていませんか」とする警報音とメッセージを連続的に出力し、一方、一酸化炭素ガスの場合は例えば「ピッポッピッポッ  空気が汚れて危険です  窓を開けて換気してください」とする警報音とメッセージを連続的に出力する。
【００５１】
移報部２４は、制御部１０により判断したメタンガス及び一酸化炭素ガスの予備警報と異常警報の状態に応じて所定の電圧をもつ有電圧信号を移報信号として外部に出力する。
【００５２】
制御部１０は、図３（Ａ）示すように、図２のヒータ駆動部２８に加熱制御信号Ｅ０を出力し、Ｔ１時間で約４００℃に加熱し、続くＴ２時間で約１００℃に加熱する動作を周期Ｔで繰り返す加熱制御を行う。
【００５３】
また、制御部１０は、図３（Ｂ）に示すように、周期Ｔ毎にヒータ加熱制御に対応して図２のセンサ駆動部１４に設けたスイッチ部３０ａ，３０ｂ，３０ｃにメタン選択信号Ｅ１、水素選択信号Ｅ２及びＣＯ選択信号Ｅ３を順次出力したタイミングでガスセンサ１２からの各ガス濃度検出電圧を取り込んでＡ／Ｄ変換し、バッファメモリに書込んで記憶する制御を行う。
【００５４】
また、制御部１０は、ガスセンサ１２により検知した水素ガス濃度が所定の閾値濃度未満となる水素ガスの混在がない状態で、ガスセンサ１２により検知された検知対象ガスとなるメタンガス又は一酸化炭素ガスの濃度が予め設定された所定の第１閾値濃度ＴＨ１以上となった場合に、表示部２０及び音響警報部２２に指示してガス濃度の予備警報を出力する制御を行う。
【００５５】
また、制御部１０は、水素ガスの混在がない状態で、ガスセンサ１２により検知された検知対象ガスとなるメタンガス又は一酸化炭素ガスの濃度が第１閾値濃度ＴＨ１より高い予め設定された所定の第２閾値濃度ＴＨ２以上となった場合に、表示部２０及び音響警報部２２に指示してガス濃度の異常警報を出力する制御を行う。
【００５６】
ここで、メタンガスの第１及び第２閾値濃度ＴＨ１，ＴＨ２としては、都市ガス用警報器による可燃性ガスの検知時には、爆発下限界の１／２００〜１／４の範囲で警報させる必要があるため、制御部１０は例えば第１閾値濃度ＴＨ１を０．０５〜０．１％の範囲の例えばＴＨ１＝０．０５％に設定し、第２閾値濃度ＴＨ２を例えばＴＨ２＝０．３％に設定している。
【００５７】
また、制御部１０は、一酸化炭素ガスについて、第１閾値濃度ＴＨ１を５０〜２００ｐｐｍの範囲内の例えばＴＨ１＝１００ｐｐｍに設定し、第２閾値濃度ＴＨ２は５５０ｐｐｍ以下となる例えばＴＨ２＝３００ｐｐｍに設定している。
【００５８】
また、制御部１０は、ガスセンサ１２により水素ガスの存在を検知した場合、以下に説明する第１乃至第５実施形態によるガス警報制御を行う。
【００５９】
［ガス警報制御の第１実施形態］
（制御部の機能）
本実施形態のガス警報制御において、図１に示したガス警報器の制御部１０は、ガスセンサ１２で検知された水素ガスの濃度が予め設定された所定の閾値濃度αｔｈ以上となった場合に、メタンガス及び一酸化炭素ガスに対し設定した第１閾値濃度ＴＨ１をそれより高い閾値濃度に変更すると共に、メタンガス及び一酸化炭素ガスに対し設定した第２閾値濃度ＴＨ２を予め設定された閾値濃度と同じか又はそれよりも低い警報の出易い閾値濃度に変更する制御を行う。
【００６０】
メタンガスの場合、初期設定をＴＨ１＝０．０５％、ＴＨ２＝０．３％とすると、水素
ガスの濃度が所定の閾値濃度αｔｈ以上となった場合、例えばＴＨ１＝０．０６％に増加し、ＴＨ２＝０．２４％に低下する。
【００６１】
また、一酸化炭素ガスの場合、初期設定をＴＨ１＝１００ｐｐｍ、ＴＨ２＝３００ｐｐｍとすると、水素ガスの濃度が所定の閾値濃度以上となった場合、例えばＴＨ１＝１２０ｐｐｍに増加し、ＴＨ２＝２４０ｐｐｍに低下する。
【００６２】
このため非検知ガスとなる水素ガスが混在した場合の検知対象ガスの予備警報については、閾値濃度を高くするように変更することにより、予備警報を出し難くして不要な混乱を未然に防止する。
【００６３】
また、非検知ガスとなる水素ガスが混在した場合の検知対象ガスの異常警報については、閾値濃度を同じにするか又は低下させることにより、水素ガスは検知対象ガスであるメタンガスや一酸化炭素ガスと同様に可燃性のガスであることから、水素ガスの混合により検知対象ガスのガス濃度が増加した場合に、異常警報を出易くすることで、水素ガスと検知対象ガスの混合濃度の増加による異常を早めに警報して迅速な対処を可能とする。
【００６４】
（ガス警報制御の動作）
図５はガス警報制御の第１実施形態による処理動作を示したフローチャートである。図５に示すように、制御部１０は、ステップＳ１（以下「ステップ」は省略）で周期Ｔの間に、ヒータ制御に対応してメタンガス及び一酸化炭素ガス（以下「検知対象ガス」という）と水素ガスのガス濃度を検知してバッファメモリに書込み、続いて、検知した水素ガス濃度を読出し、所定の閾値濃度αｔｈ以上か否かを判別する。
【００６５】
水素ガス濃度が閾値濃度αｔｈ未満と低い場合はＳ３に進み、初期設定した検知対象ガスの第１閾値濃度ＴＨ１及び第２閾値濃度ＴＨ２を読出し、Ｓ４で検知対象ガスのガス濃度を読出して比較する。
【００６６】
続いて、Ｓ５に進み、検知対象ガスのガス濃度が第１閾値濃度ＴＨ１以上に増加していれば、Ｓ６に進んで検知対象ガスのガス濃度が第１閾値濃度ＴＨ１以上となって所定時間Ｔｄに亘り継続したこと（蓄積したこと）を判別すると、Ｓ７で予備警報中でないことを判別してＳ８に進み、表示部２０及び音響警報部２２に指示して予備警報を行う。
【００６７】
続いて、Ｓ９で検知対象ガスのガス濃度が第２閾値濃度ＴＨ２未満の場合、Ｓ２に戻り、次の周期Ｔの間に、検知対象ガスと水素ガスのガス濃度を検知してバッファメモリに書込む。
【００６８】
続いて前述したと同様にＳ２〜Ｓ５の処理を行い、Ｓ６に進んで検知対象ガスのガス濃度が第１閾値濃度ＴＨ１以上となって所定時間Ｔｄに亘り継続したこと（蓄積したこと）を判別してＳ７に進むと、現在、予備警報中であることから、Ｓ８をスキップしてＳ９に進む。Ｓ９で検知対象ガスのガス濃度が第２閾値濃度ＴＨ２以上に増加したことを判別するとＳ１０に進み、表示部２０及び音響警報部２２に指示して異常警報を行う。
【００６９】
また、Ｓ６で検知対象ガスのガス濃度が第１閾値濃度ＴＨ１以上となって所定時間Ｔｄに亘り継続しない場合はＳ９に進み、検知対象ガスのガス濃度が第２閾値濃度ＴＨ２以上に増加したことを判別するとＳ１０に進み、表示部２０及び音響警報部２２に指示して異常警報を行う
一方、Ｓ２で水素ガスのガス濃度が閾値濃度αｔｈ以上に増加したことが判別された場合はＳ１１に進み、初期設定している第１閾値濃度ＴＨ１に、１より大きい所定の係数Ｋ１、例えばＫ１＝１．２を掛けあわせ、初期設定した閾値濃度より高い第１閾値濃度ＴＨ１に変更する。
【００７０】
続いてＳ１２に進み、初期設定している第２閾値濃度ＴＨ２に、１より小さい所定の係数Ｋ２、例えばＫ２＝０．８を掛け合わせ、初期設定した閾値濃度より低い第２閾値濃度ＴＨ２に変更する。なお、Ｓ１２にあっては、Ｋ２＝１とすることで、初期設定した第２閾値濃度ＴＨ２を変更せずに、そのままとしても良い。
【００７１】
このようにＳ１１，Ｓ１２で検知対象ガスの第１閾値濃度ＴＨ１を初期設定より高い閾値濃度に変更すると共に、第２閾値濃度ＴＨ２を初期設定より低い閾値濃度に変更した場合も、前述したと同様にＳ４〜Ｓ５の処理を行い、Ｓ６に進んで検知対象ガスのガス濃度が変更した第１閾値濃度ＴＨ１以上となって所定時間Ｔｄに亘り継続したこと（蓄積したこと）を判別した場合に予備警報を行い、またＳ９で第２閾値濃度ＴＨ２以上に増加した場合にＳ１０で異常警報を行う。
【００７２】
また、Ｓ１１，Ｓ１２で第１閾値濃度ＴＨ１及び第２閾値濃度ＴＨ２を変更した後にＳ２で水素ガスのガス濃度が閾値濃度αｔｈ未満に低下したことを判別すると、Ｓ１、Ｓ２を介してＳ３に進み、現在変更している第１閾値濃度ＴＨ１及び第２閾値濃度ＴＨ２を初期設定に戻して、それ以降のガス警報制御を行う。
【００７３】
［ガス警報制御の第２実施形態］
（制御部の機能）
本実施形態のガス警報制御において、図１に示したガス警報器の制御部１０は、ガスセンサ１２で検知された水素ガスの濃度が予め設定された所定の閾値濃度αｔｈ以上に増加した場合、検知対象ガスの第１閾値濃度ＴＨ１をそれより高い閾値濃度に変更し、検知対象ガスのガス濃度が変更した高い第１閾値濃度ＴＨ１以上となる状態が所定の蓄積時間に亘り継続（蓄積）した場合に予備警報を出力する制御を行う。
【００７４】
また、制御部１０は、水素ガスの濃度が予め設定された所定の閾値濃度αｔｈ以上となって所定時間に亘り継続した場合、検知対象ガスに対し設定した第２閾値濃度ＴＨ２をそれより高い閾値濃度に変更する制御を行う。
【００７５】
検知対象ガスがメタンガスの場合、初期設定をＴＨ１＝０．０５％、ＴＨ２＝０．３％とすると、水素ガスの濃度が所定の閾値濃度αｔｈ以上に増加した場合、例えばＴＨ１＝０．０６％と高くし、ＴＨ２＝０．３６％と高くする。
【００７６】
また、検知対象ガスが一酸化炭素ガスの場合、初期設定をＴＨ１＝１００ｐｐｍ、ＴＨ２＝３００ｐｐｍとすると、水素ガスの濃度が所定の閾値濃度αｔｈ以上に増加して所定時間に亘り継続した場合、例えばＴＨ１＝１２０ｐｐｍと高くし、ＴＨ２＝３６０ｐｐｍと高くする。
【００７７】
このため、非検知対象ガスとしての水素ガスが混在した場合に、予備警報について、閾値濃度を高くし且つ蓄積予備警報を行うことで、検知対象ガスの予備警報を出し難くして不要な混乱を未然に防止可能とする。
【００７８】
また、検知対象ガスの異常警報については、非検知対象ガスが閾値濃度αｔｈ以上に増加した状態が所定時間に亘り継続（した場合に閾値濃度を高くして異常警報を出し難くすることで、一時的な水素ガスの濃度上昇で第２閾値濃度を高くして、検知対象ガスの異常警報が出せなくなったり（失報）、遅れることを防止可能とする。
【００７９】
（ガス警報制御の動作）
図６はガス警報制御の第２実施形態による処理動作を示したフローチャートである。図６に示すように、制御部１０は、ステップＳ２１で周期Ｔの間に、ヒータ制御に対応して検知対象ガスのガス濃度を検知してバッファメモリに書込み、続いてＳ２２に進んで、検知した水素ガス濃度を読出し、水素ガス濃度が閾値濃度αｔｈ未満の場合はＳ２３に進み、初期設定した検知対象ガスに対し設定した第１閾値濃度ＴＨ１及び第２閾値濃度ＴＨ２を読出し、Ｓ２４で検知対象ガスのガス濃度を読出して第１閾値濃度ＴＨ１及び第２閾値濃度ＴＨ２と比較する。
【００８０】
続いて、Ｓ２５に進み、検知対象ガスのガス濃度が第１閾値濃度ＴＨ１以上に増加した場合、Ｓ２６に進んで検知対象ガスのガス濃度が第１閾値濃度ＴＨ１以上となって所定時間Ｔｄに亘り継続したこと（蓄積したこと）を判別すると、Ｓ２７で予備警報中でないことを判別してＳ２８に進み、表示部２０及び音響警報部２２に指示して予備警報を行う。
【００８１】
続いて、Ｓ２９で検知対象ガスのガス濃度が第２閾値濃度ＴＨ２未満の場合、Ｓ２２に戻り、次の周期Ｔの間に、検知対象ガスと水素ガスのガス濃度を検知してバッファメモリに書込む。続いて前述したと同様にＳ２２〜Ｓ２５の処理を行い、Ｓ２６で検知対象ガスのガス濃度が第１閾値濃度ＴＨ１以上であることを判別してＳ２７に進むと、現在、予備警報中であることから、Ｓ２８をスキップしてＳ２９に進む。Ｓ２９で検知対象ガスのガス濃度が第２閾値濃度ＴＨ２以上に増加したことを判別するとＳ３０に進み、表示部２０及び音響警報部２２に指示して異常警報を行う。
【００８２】
また、Ｓ２６で検知対象ガスのガス濃度が第１閾値濃度ＴＨ１以上となって所定時間Ｔｄに亘り継続しない場合はＳ２９に進み、検知対象ガスのガス濃度が第２閾値濃度ＴＨ２以上に増加したことを判別するとＳ３０に進み、表示部２０及び音響警報部２２に指示して異常警報を行う。
【００８３】
一方、Ｓ２２で水素ガスのガス濃度が閾値濃度αｔｈ以上に増加したことを判別した場合はＳ３１に進み、初期設定している検知対象ガスに対応した第１閾値濃度ＴＨ１に、１より大きい所定の係数Ｋ１、例えばＫ１＝１．２を掛けあわせ、初期設定した閾値濃度より高くした第１閾値濃度ＴＨ１に変更する。
【００８４】
続いてＳ３２に進み、所定の閾値濃度αｔｈ以上に増加した水素ガスのガス濃度の検知が所定時間２に亘り継続した場合は、Ｓ３３に進み、初期設定している検知対象ガスの第２閾値濃度ＴＨ２に、１より大きい所定の係数Ｋ２、例えばＫ２＝１．２を掛け合わせ、初期設定した閾値濃度より高くした第２閾値濃度ＴＨ２に変更する。
【００８５】
続いて、Ｓ２４で、変更した第１及び第２閾値濃度ＴＨ１，ＴＨ２と検知対象ガスのガス濃度とを比較し、前述したと同様にして、Ｓ２５〜Ｓ３０により、予備警報の出力又は異常警報の出力を行う。
【００８６】
また、Ｓ３１，Ｓ３３で第１閾値濃度ＴＨ１及び第２閾値濃度ＴＨ２を高い閾値濃度に変更した後のガス警報制御中に、Ｓ２２で水素ガスのガス濃度が閾値濃度αｔｈ未満に低下したことを判別すると、Ｓ２３に進み、現在変更している第１閾値濃度ＴＨ１及び第２閾値濃度ＴＨ２を初期設定に戻して、その後のガス警報制御を行う。
【００８７】
［ガス警報制御の第３実施形態］
（制御部の機能）
本実施形態のガス警報制御において、図１に示したガス警報器の制御部１０は、ガスセンサ１２で検知された水素ガスの濃度が予め設定された所定の閾値濃度αｔｈ以上に増加した場合、検知対象ガスの第１閾値濃度ＴＨ１をそれより高い閾値濃度に変更し、検知対象ガスのガス濃度が変更した高い第１閾値濃度ＴＨ１以上となる状態が所定時間に亘り継続（蓄積）した場合に予備警報を出力する制御を行う。
【００８８】
また、制御部１０は、水素ガスの濃度が予め設定した所定の閾値速度Ｖｔｈ以上の速度で上昇している場合、検知対象ガスの第２閾値濃度ＴＨ２をそれより高い閾値濃度に変更する制御を行う。
【００８９】
検知対象ガスがメタンガスの場合、初期設定をＴＨ１＝０．０５％、ＴＨ２＝０．３％とすると、水素ガスの濃度が所定の閾値濃度αｔｈ以上に増加した場合、例えばＴＨ１＝０．０６％と高くし、ＴＨ２＝０．３６％と高くする。
【００９０】
また、検知対象ガスが一酸化炭素ガスの場合、初期設定をＴＨ１＝１００ｐｐｍ、ＴＨ
２＝３００ｐｐｍとすると、水素ガスの濃度が閾値速度Ｖｔｈ以上の速度で上昇している
場合、例えばＴＨ１＝１２０ｐｐｍと高くし、ＴＨ２＝３６０ｐｐｍと高くする。
【００９１】
このため、所定濃度を超える水素ガスが混在した場合、検知対象ガスの予備警報については、閾値濃度を高くし且つ蓄積を行うことで、検知対象ガスの予備警報を出し難くして不要な混乱を未然に防止可能とする。
【００９２】
また、所定濃度を超える水素ガスが混在した場合、検知対象ガスの異常警報については、水素ガスの濃度が閾値速度Ｖｔｈ以上の属度で上昇している場合に閾値濃度を高くして異常警報を出し難くすることで、水素ガスの濃度増加が速い場合に検知対ガスの異常警報を出し難くし、一方、水素ガス濃度が閾値濃度を超えても、それ以上増加しないような場合には、閾値濃度を初期設定のままとして異常警報を出難くする変更を行わないようにすることで、本来の検知対象ガスのガス濃度の増加に対し、確実に異常警報を可能とする。
【００９３】
（ガス警報制御の動作）
図７はガス警報制御の第３実施形態による処理動作を示したフローチャートである。図７に示すように、制御部１０は、ステップＳ４１で周期Ｔの間に、ヒータ制御に対応して検知対象ガスのガス濃度を検知してバッファメモリに書込み、続いてＳ４２で水素ガス濃度が閾値濃度αｔｈ未満の場合はＳ４３に進み、初期設定した検知対象ガスの第１閾値濃度ＴＨ１及び第２閾値濃度ＴＨ２を読出し、Ｓ４４で検知対象ガスのガス濃度を読出して比較する。
【００９４】
続いて、Ｓ４５に進み、検知対象ガスのガス濃度が第１閾値濃度ＴＨ１以上に増加した場合、Ｓ４６に進んで検知対象ガスのガス濃度が第１閾値濃度ＴＨ１以上となって所定時間に亘り継続したこと（蓄積したこと）を判別し、続いてＳ４７で予備警報中でないことを判別してＳ４８に進み、表示部２０及び音響警報部２２に指示して予備警報を行う。
【００９５】
続いて、Ｓ４９で検知対象ガスのガス濃度が第２閾値濃度ＴＨ２未満の場合、Ｓ４２に戻り、次の周期Ｔの間に、検知対象ガスと水素ガスのガス濃度を検知してバッファメモリに書込む。続いて前述したと同様にＳ４３〜Ｓ４５の処理を行い、Ｓ４６で検知対象ガスのガス濃度が第１閾値濃度ＴＨ１以上であることを判別してＳ４７に進むと、現在、予備警報中であることから、Ｓ４８をスキップしてＳ４９に進む。Ｓ４９で検知対象ガスのガス濃度が第２閾値濃度ＴＨ２以上に増加したことを判別するとＳ５０に進み、表示部２０及び音響警報部２２に指示して異常警報を行う。
【００９６】
また、Ｓ４６で検知対象ガスのガス濃度が第１閾値濃度ＴＨ１以上となって所定時間Ｔｄに亘り継続しない場合はＳ４９に進み、検知対象ガスのガス濃度が第２閾値濃度ＴＨ２以上に増加したことを判別するとＳ５０に進み、表示部２０及び音響警報部２２に指示して異常警報を行う。
【００９７】
一方、Ｓ４２で水素ガスのガス濃度が閾値濃度αｔｈ以上に増加したことを判別した場合はＳ５１に進み、初期設定している検知対象ガスの第１閾値濃度ＴＨ１に、１より大きい所定の係数Ｋ１、例えばＫ１＝１．２を掛けあわせ、初期設定した閾値濃度より高くした第１閾値濃度ＴＨ１に変更する。
【００９８】
続いてＳ５２に進み、水素ガスの濃度が予め設定した所定の閾値速度Ｖｔｈ以上の速度で上昇していることを判別すると、Ｓ５３に進み、初期設定している検知対象ガスに対し設定した第２閾値濃度ＴＨ２に、１より大きい所定の係数Ｋ２、例えばＫ２＝１．２を掛け合わせ、初期設定した閾値濃度より高くした第２閾値濃度ＴＨ２に変更する。
【００９９】
続いて、Ｓ４４で、変更した第１及び第２閾値濃度ＴＨ１，ＴＨ２と検知対象ガスのガス濃度とを比較し、前述したと同様にして、Ｓ４５〜Ｓ５０により、予備警報の出力又は予備警報と異常警報の出力を行う。
【０１００】
また、Ｓ５１，Ｓ５３で第１閾値濃度ＴＨ１及び第２閾値濃度ＴＨ２を高い閾値濃度に変更した後のガス警報制御中に、Ｓ４２で水素ガスのガス濃度が閾値濃度αｔｈ未満に低下したことを判別すると、Ｓ４３に進み、現在変更している第１閾値濃度ＴＨ１及び第２閾値濃度ＴＨ２を初期設定に戻して、その後のガス警報制御を行う。
【０１０１】
［ガス警報制御の第４実施形態］
（制御部の機能）
本実施形態のガス警報制御において、図１に示したガス警報器の制御部１０は、ガスセンサ１２で検知された水素ガスの濃度が予め設定された所定の第１閾値濃度αｔｈ以上に増加した場合、検知対象ガスの第１閾値濃度ＴＨ１をそれより高い閾値濃度に変更し、検知対象ガスのガス濃度が変更した高い第１閾値濃度ＴＨ１以上となる状態が所定の蓄積時間に亘り継続（蓄積）した場合に予備警報を出力する制御を行う。
【０１０２】
また、制御部１０は、水素ガスの濃度が第１閾値濃度αｔｈより高い予め設定された所定の第２閾値濃度βｔｈ以上に増加した場合、検知対象ガスの第２閾値濃度ＴＨ２をそれより高い閾値濃度に変更する制御を行う。
【０１０３】
検知対象ガスがメタンガスの場合、予備警報の初期設定をＴＨ１＝０．０５％とすると、水素ガスの濃度が第１閾値濃度αｔｈ以上に増加した場合、例えばＴＨ１＝０．０６％と高くする。また、異常警報の初期設定をＴＨ２＝０．３％とすると、水素ガスの濃度が第２閾値濃度βｔｈ以上に増加した場合、例えばＴＨ２＝０．３６％と高くする。
【０１０４】
また、検知対象ガスが一酸化炭素ガスの場合、予備警報の初期設定をＴＨ１＝１００ｐｐｍ、とすると、水素ガスの濃度が第２閾値濃度βｔｈ以上に増加した場合、例えばＴＨ１＝１２０ｐｐｍと高くする。また、異常警報の初期設定をＴＨ２＝３００ｐｐｍとすると、水素ガスの濃度が第２閾値濃度βｔｈ以上に増加した場合、例えばＴＨ２＝３６０ｐｐｍと高くする。
【０１０５】
このため、第１閾値濃度αｔｈを超える水素ガスが混在した場合、検知対象ガスの予備警報について、閾値濃度を高くし且つ蓄積を行うことで、予備警報を出し難くし、検知対象ガスの予備警報を出し難くして不要な混乱を未然に防止可能とする。
【０１０６】
また、第１閾値濃度αｔｈより高い第２閾値濃度βを超える水素ガスが混在した場合、検知対象ガスの異常警報について、閾値濃度を高くして異常警報を出し難くする。また、水素ガスの濃度が第１閾値濃度αｔｈより高いが第２閾値濃度β未満の場合に、予備警報を出し難くしても、異常警報は出し難くせずに初期設定のままとし、水素ガスの混合による誤警報の可能性が低い段階での異常警報の第２閾値濃度を高くする変更は行わずに、検知対象ガスの異常警報を適切に出すことを可能とする。
【０１０７】
（ガス警報制御の動作）
図８はガス警報制御の第４実施形態による処理動作を示したフローチャートである。図８に示すように、制御部１０は、ステップＳ６１で周期Ｔの間に、ヒータ制御に対応して検知対象ガスのガス濃度を検知してバッファメモリに書込み、続いてＳ６２で水素ガス濃度が第１閾値濃度αｔｈ未満の場合はＳ６３に進み、初期設定した検知対象ガスの第１閾値濃度ＴＨ１及び第２閾値濃度ＴＨ２を読出し、Ｓ６４で検知対象ガスのガス濃度を読出して比較する。
【０１０８】
続いて、Ｓ６５に進み、検知対象ガスのガス濃度が第１閾値濃度ＴＨ１以上に増加した場合、Ｓ６６に進んで検知対象ガスのガス濃度が第１閾値濃度ＴＨ１以上となって所定時間Ｔｄに亘り継続したこと（蓄積したこと）を判別し、続いてＳ６７で予備警報中でないことを判別してＳ６８に進み、表示部２０及び音響警報部２２に指示して予備警報を行う。
【０１０９】
続いて、Ｓ６９で検知対象ガスのガス濃度が第２閾値濃度ＴＨ２未満の場合、Ｓ６２に戻り、次の周期Ｔの間に、検知対象ガスと水素ガスのガス濃度を検知してバッファメモリに書込む。続いて前述したと同様にＳ６３〜Ｓ６５の処理を行い、Ｓ６６で検知対象ガスのガス濃度が第１閾値濃度ＴＨ１以上であることを判別してＳ６７に進むと、現在、予備警報中であることから、Ｓ６８をスキップしてＳ６９に進む。Ｓ６９で検知対象ガスのガス濃度が第２閾値濃度ＴＨ２以上に増加したことを判別するとＳ７０に進み、表示部２０及び音響警報部２２に指示して異常警報を行う。
【０１１０】
また、Ｓ６５で検知対象ガスのガス濃度が第１閾値濃度ＴＨ１以上となって所定時間Ｔｄに亘り継続しない場合はＳ６９に進み、検知対象ガスのガス濃度が第２閾値濃度ＴＨ２以上に増加したことを判別するとＳ７０に進み、表示部２０及び音響警報部２２に指示して異常警報を行う。
【０１１１】
一方、Ｓ６２で水素ガスのガス濃度が第１閾値濃度αｔｈ以上に増加したことを判別した場合はＳ７１に進み、初期設定している検知対象ガスの第１閾値濃度ＴＨ１に、１より大きい所定の係数Ｋ１、例えばＫ１＝１．２を掛けあわせ、初期設定した閾値濃度より高くした第１閾値濃度ＴＨ１に変更する。
【０１１２】
続いてＳ７２に進み、水素ガスの濃度が予め設定した所定の第２閾値速度βｔｈ以上に増加したことを判別すると、Ｓ７３に進み、初期設定している検知対象ガスの第２閾値濃度ＴＨ２に、１より大きい所定の係数Ｋ２、例えばＫ２＝１．２を掛け合わせ、初期設定した閾値濃度より高くした第２閾値濃度ＴＨ１に変更する。
【０１１３】
続いて、Ｓ６４で、変更した第１閾値濃度ＴＨ１及び第２閾値濃度ＴＨ２と検知対象ガスのガス濃度とを比較し、前述したと同様にして、Ｓ６５〜Ｓ７０により、予備警報の出力又は予備警報と異常警報の出力を行う。
【０１１４】
また、Ｓ７１，Ｓ７３で第１閾値濃度ＴＨ１及び第２閾値濃度ＴＨ２を高い閾値濃度に変更した後のガス警報の制御中に、Ｓ６２で水素ガスのガス濃度が閾値濃度αｔｈ未満に低下したことを判別すると、Ｓ６３に進み、現在変更している第１閾値濃度ＴＨ１及び第２閾値濃度ＴＨ２を初期設定に戻して、その後のガス警報制御を行う。
【０１１５】
［ガス警報制御の第５実施形態］
（制御部の機能）
本実施形態のガス警報制御において、図１に示したガス警報器の制御部１０は、ガスセンサ１２で検知された水素ガスの濃度が予め設定された所定の閾値濃度αｔｈ以上に増加した場合、検知対象ガスのガス濃度を所定割合だけ低いガス濃度に補正し、検知対象ガスのガス濃度が予め設定した第１閾値濃度ＴＨ１以上となる状態が所定の蓄積時間Ｔｄ１に亘り継続（蓄積）した場合に予備警報を出力する制御を行う。
【０１１６】
また、制御部１０は、補正した場合を含む検知対象ガスのガス濃度が予め設定した第１閾値濃度ＴＨ１以上となった場合に予備警報を出力する制御を行い、予め設定した第２閾値濃度ＴＨ２以上となった場合に異常警報を出力する制御を行う。
【０１１７】
検知対象ガスがメタンガスの場合、第１閾値濃度ＴＨ１を例えばＴＨ１＝０．０５％に設定し、第２閾値濃度ＴＨ２を例えばＴＨ２＝０．３％に設定する。また、検知対象ガスが一酸化炭素ガスの場合、第１閾値濃度ＴＨ１を例えばＴＨ１＝１００ｐｐｍに設定し、第２閾値濃度ＴＨ２を例えばＴＨ２＝３００ｐｐｍに設定する。
【０１１８】
このため、検知対象ガスとしての水素ガスが混在した場合に、検知対象ガスのガス濃度を低い値となるように補正することで、検知対象ガスの予備警報及び異常警報を出し難くする。
【０１１９】
（ガス警報制御の動作）
図９はガス警報制御の第５実施形態による処理動作を示したフローチャートである。図９に示すように、制御部１０は、ステップＳ８１で周期Ｔの間に、ヒータ制御に対応して検知対象ガスのガス濃度を検知してバッファメモリに書込み、続いてＳ８２に進んで、検知した水素ガス濃度を読出し、水素ガス濃度が閾値濃度αｔｈ未満の場合はＳ８３に進み、検知対象ガスのガス濃度と第１閾値濃度ＴＨ１及び第２閾値濃度ＴＨ２を比較する。
【０１２０】
続いて、Ｓ８４に進み、検知対象ガスのガス濃度が第１閾値濃度ＴＨ１以上に増加したことを判別すると、Ｓ８５に進んで所定時間Ｔｄに亘り継続したこと（蓄積したこと）を判別し、Ｓ８６で予備警報中でないことを判別してＳ８７に進み、表示部２０及び音響警報部２２に指示して予備警報を行う。
【０１２１】
続いて、Ｓ８８で検知対象ガスのガス濃度が第２閾値濃度ＴＨ２未満の場合、Ｓ８１に戻り、次の周期Ｔの間に、検知対象ガスと水素ガスのガス濃度を検知してバッファメモリに書込む。続いて前述したと同様にＳ８２〜Ｓ８４の処理を行い、Ｓ８５で検知対象ガスのガス濃度が第１閾値濃度ＴＨ１以上であることを判別してＳ８６に進むと、現在、予備警報中であることから、Ｓ８７をスキップしてＳ８８に進む。Ｓ８８で検知対象ガスのガス濃度が第２閾値濃度ＴＨ２以上に増加したことを判別するとＳ８９に進み、表示部２０及び音響警報部２２に指示して異常警報を行う。
【０１２２】
また、Ｓ８５で検知対象ガスのガス濃度が第１閾値濃度ＴＨ１以上となって所定時間Ｔｄに亘り継続しない場合はＳ８８に進み、検知対象ガスのガス濃度が第２閾値濃度ＴＨ２以上に増加したことを判別するとＳ８９に進み、表示部２０及び音響警報部２２に指示して異常警報を行う。
【０１２３】
一方、Ｓ８２で水素ガスのガス濃度が閾値濃度αｔｈ以上に増加したことを判別した場合はＳ９０に進んで現在検知している検知対象ガスのガス濃度を読出し、Ｓ９１でガス濃度を所定割合だけ減少させる補正を行う。この補正は例えば１以下の補正係数Ｋとして、例えばＫ＝０．８を検知対象ガスのカス濃度に掛けあわせて、低い値に補正する。
【０１２４】
続いて、Ｓ８３で、低い値に補正した検知対象ガスのガス濃度と第１閾値濃度ＴＨ１及び第２閾値濃度ＴＨ２を比較し、前述したと同様にして、Ｓ８４〜Ｓ８９により、予備警報の出力又は異常警報の出力を行う。
【０１２５】
また、Ｓ９１で検知対象ガスのガス濃度を低い値に補正した後のガス警報制御中に、Ｓ８２で水素ガスのガス濃度が閾値濃度αｔｈ未満に低下したことを判別すると、Ｓ９０、Ｓ９１によるガス濃度の補正は行わず、Ｓ８１〜Ｓ８９によるガス警報制御を繰り返す。
【０１２６】
［本発明の変形例］
（蓄積警報）
上記の実施形態にあっては、予備警報又は異常警報について、警報出力条件が所定時間継続した場合に警報する蓄積警報を行っているが、残りの予備警報又は異常警報、或いは予備警報と異常警報の両方について、蓄積警報を行うようにしても良い。
【０１２７】
また、蓄積警報は、水素ガスを検知して検知対象ガスの警報閾値濃度を変更した場合のみならず、初期設定した警報閾値濃度を使用した予備警報及び又は異常警報について行うようにしても良い。
【０１２８】
（その他）
また本発明はその目的と利点を損なうことのない適宜の変形を含み、更に上記の実施形態に示した数値による限定は受けない。
【符号の説明】
【０１２９】
１０：制御部
１２：ガスセンサ
１２ａ：感ガス素子
１２ｂ：ヒータ
１４：センサ駆動部
１６：メモリ部
１８：スイッチ部
２０：表示部
２２：音響警報部
２４：移報部
２６：電源回路部
２８：ヒータ駆動部
３０ａ，３０ｂ，３０ｃ：スイッチ部
【図１】
0006468587.tif 000002
【図２】
0006468587.tif 000003
【図３】
0006468587.tif 000004
【図４】
0006468587.tif 000005
【図５】
0006468587.tif 000006
【図６】
0006468587.tif 000007
【図７】
0006468587.tif 000008
【図８】
0006468587.tif 000009
【図９】
0006468587.tif 000010